(57)【要約】【課題】構成の複雑化、調整作業の高難度化を回避しつつ、アナログ物理量とＡ／Ｄ変換回路が出力するデジタル変換値との関係を正確に所定の基準に沿うように調整可能にする。【解決手段】励磁電流に応じた検出電圧Ｖoを出力する電流検出回路２２と、検出電圧Ｖoを入力としてＡ／Ｄ変換を実行するＡ／Ｄ変換回路１２とを単一のＩＣ２０内に形成する。Ａ／Ｄ変換回路１２は、デジタル変換値の一部を示す信号Ｄ０〜Ｄ４をモニタ信号生成回路２９に出力し、モニタ信号生成回路２９は、デジタル変換値に対応するモニタ信号ＳｍをＩＣ２０の外部から検出可能に設けたモニタ端子３４へ出力する。【選択図】図１
2008060786.tif 000002
【特許請求の範囲】
【請求項１】
アナログ物理量に応じた電圧を出力する検出回路と、この検出回路の出力電圧を入力としてＡ／Ｄ変換を実行するＡ／Ｄ変換回路とを備え、
前記検出回路は、前記アナログ物理量と出力電圧との関係を調整するための調整回路を有し、
前記検出回路と前記Ａ／Ｄ変換回路とを動作させた状態で、前記Ａ／Ｄ変換回路が出力するデジタル変換値に基づいて前記調整回路による調整が可能な構成とされていることを特徴とする集積回路装置。
【請求項２】
前記Ａ／Ｄ変換回路が出力するデジタル変換値が予め設定された指示値に一致したときにレベルを変化させるモニタ信号を生成するモニタ信号生成回路を備え、
前記モニタ信号に基づいて前記調整回路による調整が可能な構成とされていることを特徴とする請求項１記載の集積回路装置。
【請求項３】
前記モニタ信号生成回路は、前記Ａ／Ｄ変換回路が出力するデジタル変換値が前記指示値に一致している場合に限り前記モニタ信号を所定のアクティブレベルとすることを特徴とする請求項２記載の集積回路装置。
【請求項４】
前記モニタ信号生成回路は、前記Ａ／Ｄ変換回路が出力するデジタル変換値が前記指示値に一致すると前記モニタ信号のレベルを反転することを特徴とする請求項２記載の集積回路装置。
【請求項５】
Ａ／Ｄ変換回路とともに集積回路装置内に形成され、前記Ａ／Ｄ変換回路が出力するデジタル変換値が予め設定された指示値に一致したときにレベルを変化させるモニタ信号を生成するモニタ信号生成回路と、前記モニタ信号を前記集積回路装置の外部より検出可能とするモニタ端子とを備えたことを特徴とする変換値モニタ装置。
【請求項６】
前記モニタ信号生成回路は、前記Ａ／Ｄ変換回路が出力するデジタル変換値が前記指示値に一致している場合に限り前記モニタ信号を所定のアクティブレベルとすることを特徴とする請求項５記載の変換値モニタ装置。
【請求項７】
前記モニタ信号生成回路は、前記Ａ／Ｄ変換回路が出力するデジタル変換値が前記指示値に一致すると前記モニタ信号のレベルを反転することを特徴とする請求項５記載の変換値モニタ装置。
【発明の詳細な説明】
【技術分野】
【０００１】
本発明は、アナログ物理量に応じた電圧を出力する検出回路とこの出力電圧を入力とするＡ／Ｄ変換回路とを備えた集積回路装置、及びＡ／Ｄ変換回路とともに集積回路装置内に形成される変換値モニタ装置に関する。
【背景技術】
【０００２】
アナログ物理量を電圧に変換し、この電圧をＡ／Ｄ変換することによりアナログ物理量に対応したデジタル変換値を得る回路がある。例えば、特許文献１に開示された車両用充電発電機の制御装置は、充電発電機の界磁巻線に流れる電流を電圧に変換して出力する回路を有する集積回路と、その電圧を入力としてＡ／Ｄ変換を実行する回路を有する集積回路とを組み合わせて構成されている。
【特許文献１】特開平６−２２５４７６号公報
【発明の開示】
【発明が解決しようとする課題】
【０００３】
図６は、負荷に流れる電流を所定の値に制御する制御回路を示している。この制御回路１は、ＩＣ２とＩＣ３とを組み合わせて構成されている。ＩＣ２は、電源線４から電源電圧ＶBの供給を受けて負荷５を駆動するもので、負荷駆動用のトランジスタ６、センス用のトランジスタ７、これらトランジスタ６、７を駆動する駆動回路８、還流ダイオード９、負荷５に対する出力電流（負荷電流）に応じた電圧（検出電圧Ｖo）を出力する電流検出回路１０などを備えている。電流検出回路１０は、負荷電流と検出電圧Ｖoとの関係を調整する調整回路１１を備えている。
【０００４】
一方、ＩＣ３は、ＩＣ２から出力される検出電圧Ｖoを入力としてＡ／Ｄ変換を実行するＡ／Ｄ変換回路１２と、そのデジタル変換値に応じたデューティ比を有するＰＷＭ指令信号Ｓpを生成するデジタル処理回路１３とを有して構成されている。ＰＷＭ指令信号Ｓpは、ＩＣ２の駆動回路８を介してトランジスタ６、７のそれぞれのゲートに与えられている。
【０００５】
図７（ａ）は、電流検出回路１０の電流−電圧変換特性を示しており、図７（ｂ）は、Ａ／Ｄ変換回路１２のＡ／Ｄ変換特性を示している。負荷電流とデジタル変換値との関係を、比例など所定の基準に正確に沿うように設定するためには、ＩＣ２の製造工程又は検査工程において、負荷電流と検出電圧Ｖoとの関係を調整回路１１により高精度に調整しなければならない。また、ＩＣ３の製造工程又は検査工程においても、調整作業等によりＡ／Ｄ変換回路１２の変換精度を十分に高める必要がある。
【０００６】
この調整作業では、ＩＣ２とＩＣ３とを組み合わせた状態における最も条件の悪い場合を考慮して、それぞれの精度を十分に高めておく必要がある。また、調整のみでは十分な精度が得られない場合、種々の補償回路を付加したりＡ／Ｄ変換の分解能を高める必要も生じる。その結果、ＩＣ２とＩＣ３とについて過剰な精度あるいは構成が要求されることになり、高精度化に伴う回路の複雑化、製造・検査工程における調整作業の高難度化などの問題が生じる。
【０００７】
本発明は上記事情に鑑みてなされたものであり、その目的は、構成の複雑化、調整作業の高難度化を回避しつつ、アナログ物理量とＡ／Ｄ変換回路が出力するデジタル変換値との関係を正確に所定の基準に沿うように調整可能な集積回路装置及び変換値モニタ装置を提供することにある。
【課題を解決するための手段】
【０００８】
請求項１記載の集積回路装置によれば、検出回路から出力されるアナログ物理量に応じた電圧は、それに続くＡ／Ｄ変換回路によりデジタル変換値に変換される。そして、アナログ物理量とデジタル変換値又はこのデジタル変換値に対応する信号とをモニタし、これらの関係が所定の基準に沿うように検出回路の調整を行うことができる。すなわち、検出回路とＡ／Ｄ変換回路とを組み合わせて動作させた状態での総合的な調整を、検出回路の調整という１つの調整のみで行うことが可能となる。
【０００９】
これにより、検出回路とＡ／Ｄ変換回路との組み合わせに配慮しつつ各回路を個別に高精度化する必要がなくなる。その結果、高精度化に伴う回路の複雑化、検査工程等における調整作業の高難度化を回避しつつ、アナログ物理量とＡ／Ｄ変換回路が出力するデジタル変換値との関係を正確に所定の基準に沿うように調整することができる。
【００１０】
請求項２記載の集積回路装置によれば、モニタ信号生成回路は、Ａ／Ｄ変換回路からのデジタル変換値が予め設定した指示値と一致したときにレベルを変化させるモニタ信号を生成する。そして、調整回路による検出回路の調整を、このモニタ信号をモニタしながら行うことが可能となっている。上記調整を正確に行うためにモニタする必要があるデジタル変換値を指示値として設定しておけば、モニタ信号のレベル変化のみをモニタしながら調整を正確に且つ簡単に行うことができる。
【００１１】
請求項３記載の集積回路装置によれば、デジタル変換値が予め設定した指示値と一致している場合に限りモニタ信号がアクティブレベルとなるので、モニタ信号のレベルのみをモニタしながら上記調整をさらに簡単に行うことができる。
【００１２】
請求項４記載の集積回路装置によれば、デジタル変換値が予め設定した指示値と一致するとモニタ信号のレベルが反転する。これにより、指示値を複数設定した場合であっても、指示値に一致する度にモニタ信号が反転するので、どの指示値に近い値なのか、又はどの指示値と指示値との間の値なのかを確認し易くなり、上記調整をより正確に且つ簡単に行うことができる。
【００１３】
請求項５記載の変換値モニタ装置によれば、Ａ／Ｄ変換回路とともに集積回路内に形成されたモニタ信号生成回路は、このＡ／Ｄ変換回路が出力するデジタル変換値が予め設定された指示値に一致したときにレベルを変化させるモニタ信号を生成する。そして、このモニタ信号を、集積回路の外部からモニタ端子を介してモニタすることが可能となっている。
【００１４】
通常、Ａ／Ｄ変換回路からのデジタル変換値に基づいて所定の処理（調整作業など）を行う場合、デジタル変換値そのものを通信手段や変換手段などを介してモニタすることになるため構成が複雑になってしまう。これに対して、本装置では、上記所定の処理を行うために必要となるデジタル変換値を指示値として設定すれば、作業者は、モニタ端子を介してモニタ信号のレベルの変化をモニタしながら上記処理を行うことができる。従って、デジタル変換値を直接モニタする必要がなくなり、正確に且つ簡単にデジタル変換値に基づいて調整作業などを行うことができる。
【００１５】
請求項６記載の変換値モニタ装置によれば、デジタル変換値が予め設定した指示値と一致している場合に限りモニタ信号がアクティブレベルとなるので、モニタ信号がアクティブレベルかどうかをモニタしながらより簡単に処理（調整作業など）を行うことができる。
【００１６】
請求項７記載の変換値モニタ装置によれば、デジタル変換値が予め設定した指示値と一致するとモニタ信号のレベルが反転する。これにより、指示値を複数設定した場合であっても、指示値に一致する度にモニタ信号が反転するので、どの指示値に近い値なのか、又はどの指示値と指示値との間の値なのかを確認し易くなり、上記処理をより正確に且つ簡単に行うことができる。
【発明を実施するための最良の形態】
【００１７】
（第１の実施形態）
以下、本発明を車両用オルタネータのロータの励磁コイルへの通電を制御する制御回路に適用した第１の実施形態について図１〜図３を参照しながら説明する。
図１は、上記制御回路の構成を示しており、図６と同一の構成部分には同一符号を付している。この制御回路は、負荷である励磁コイル２１に流れる励磁電流（アナログ物理量に相当）を所定の値に制御するもので、単一のＩＣ２０（集積回路装置に相当）として構成されている。
【００１８】
ＩＣ２０における電流検出回路２２（検出回路に相当）は、オペアンプ２３、抵抗２４、トランジスタ２５及び調整用抵抗２６（調整回路に相当）を備えて構成されている。オペアンプ２３の反転入力端子及び非反転入力端子には、それぞれトランジスタ６、７の各ソースが接続されており、オペアンプ２３の出力端子は、抵抗２４を介してトランジスタ２５のベースに接続されている。トランジスタ２５のコレクタはオペアンプ２３の非反転入力端子に接続されており、エミッタは調整用抵抗２６を介してグランドに接続されている。
【００１９】
オペアンプ２３は、トランジスタ６と７のソース電位（すなわちドレイン−ソース間電圧）を一致させるようにトランジスタ２５に流れる電流を制御する。そして、トランジスタ６を介して励磁コイル２１に励磁電流が出力されると、トランジスタ６とトランジスタ７とのセル比（例えば３０００：１）に応じた検出電流がトランジスタ７、２５を介して調整用抵抗２６に流れる。調整用抵抗２６の両端に生じる検出電圧Ｖoは、Ａ／Ｄ変換回路１２に与えられるようになっている。調整用抵抗２６の値を変化させると、励磁電流とＡ／Ｄ変換回路１２から出力されるデジタル変換値との関係を調整することができる。なお、調整用抵抗２６は、製造工程において例えばレーザトリミングによりその抵抗値を調整可能となっている。
【００２０】
Ａ／Ｄ変換回路１２は、デジタル変換値を示す８ビットの信号Ｄ０〜Ｄ７をデジタル処理回路２７に出力するとともに、これら信号Ｄ０〜Ｄ７のうち、下位５ビットの信号Ｄ０〜Ｄ４をモニタ信号生成回路２９に出力するように構成されている。
【００２１】
デジタル処理回路２７には、このＡ／Ｄ変換回路１２からのデジタル変換値と、エンジンＥＣＵ（図示せず）からの励磁電流の指令値が入力されている。この指令値は、例えば車両用オルタネータの発電トルクを制御することを目的として、励磁コイル２１に流れる励磁電流を所定値に制御するために用いられる。デジタル処理回路２７は、これらデジタル変換値と指令値との差に基づいたデューティ比を有する第１のＰＷＭ指令信号Ｓp1を生成するようになっている。
【００２２】
ＡＮＤゲート２８には、この第１のＰＷＭ指令信号Ｓp1と、第２のＰＷＭ指令信号Ｓp2とが入力されている。第２のＰＷＭ指令信号Ｓp2は、励磁電流を制御して車両用オルタネータにより充電されるバッテリ（図示せず）の電圧を所定値に制御するために用いられる。
【００２３】
ＡＮＤゲート２８の出力は、駆動回路８を介してトランジスタ６、７のそれぞれのゲートに与えられている。駆動回路８は、トランジスタ６、７のゲートを十分に駆動できるようにチャージポンプ回路を有している。トランジスタ６、７のオンタイミングは、各ＰＷＭ指令信号Ｓp1、Ｓp2のうち、ハイレベル期間の短い方に律則される。このような構成により、車両用オルタネータの発電トルクが制御されつつ、バッテリ電圧が所定値に制御されるようになっている。
【００２４】
ＩＣ２０は、Ａ／Ｄ変換回路１２から出力されるデジタル変換値に対応するモニタ信号Ｓｍを生成するモニタ信号生成回路２９を有している。図２は、このモニタ信号生成回路２９の構成を示している。モニタ信号生成回路２９は、５入力のＡＮＤゲート３０、３１、３２と３入力のＯＲゲート３３とから構成されている。ＡＮＤゲート３０〜３２には、デジタル変換値の一部を示す信号Ｄ０〜Ｄ４が入力されている。
【００２５】
ＡＮＤゲート３０〜３２の各出力はＯＲゲート３３に入力されており、このＯＲゲート３３の出力がモニタ信号Ｓｍとなっている。また、ＯＲゲート３３の出力端子は、ＩＣ２０の外部からモニタ可能に設けられた検査用のパッドであるモニタ端子３４に接続されている。これにより、モニタ端子３４を介してモニタ信号Ｓｍをモニタすることが可能となっている。なお、本実施形態では、モニタ信号生成回路２９及びモニタ端子３４により変換値モニタ装置３５が構成される。
【００２６】
次に、本実施形態の作用について図３も参照しながら説明する。
図３は、デジタル変換値とモニタ信号Ｓｍとの関係を示しており、（ａ）は励磁電流とデジタル変換値との関係を示す図であり、（ｂ）はモニタ信号Ｓｍと各ＡＮＤゲート３０〜３２の出力との関係を示す図である。ＡＮＤゲート３０の出力は、信号Ｄ０、Ｄ２〜Ｄ４がロウレベルで且つ信号Ｄ１がハイレベルのときにのみハイレベルとなる。ＡＮＤゲート３１の出力は、信号Ｄ０〜Ｄ３がロウレベルで且つ信号Ｄ４がハイレベルのときにのみハイレベルとなる。ＡＮＤゲート３２の出力は、信号Ｄ０がロウレベルで且つ信号Ｄ１〜Ｄ４がハイレベルのときにのみハイレベルとなる。
【００２７】
モニタ信号Ｓｍのレベルは、デジタル変換値を示す信号Ｄ０〜Ｄ４に応じて変化する。すなわち、信号Ｄ０〜Ｄ４が示すデジタル変換値が‘２’（“０００１０”）のとき、ＡＮＤゲート３０の出力がハイレベルとなるため、モニタ信号Ｓｍはハイレベル（アクティブレベル）となる。また、デジタル変換値が‘１６’（“１００００”）のとき、ＡＮＤゲート３１の出力がハイレベルとなるため、モニタ信号Ｓｍはハイレベルとなる。さらに、デジタル変換値が‘３０’（“１１１１０”）のとき、ＡＮＤゲート３２の出力がハイレベルとなるため、モニタ信号Ｓｍはハイレベルとなる。デジタル変換値が上記した値以外のときには、ＡＮＤゲート３０〜３２の出力は何れもロウレベルとなるため、モニタ信号Ｓｍはロウレベル（非アクティブレベル）となる。
【００２８】
ＩＣ２０は、励磁コイル２１に供給する電流を正確に所定値に制御するために、励磁電流とＡ／Ｄ変換回路１２から出力されるデジタル変換値との関係をウエハ状態にて調整する必要がある。この調整を行う場合、励磁コイル２１に替えて、例えばテスタなどの高精度な電流源を負荷として接続する。また、ＡＮＤゲート２８の各入力端子に与えられる各ＰＷＭ指令信号Ｓp1、Ｓp2をともにハイレベルとし、あるいは駆動回路８に直接ハイレベルの信号を入力し、各トランジスタ６、７をオンさせた状態とする。
【００２９】
そして、例えばデジタル変換値が‘２’となるポイント（図３（ａ）のＡ点）を中心として上記関係を調整する場合、デジタル変換値が‘２’に相当する値の電流を電流源を介して流し、この状態でモニタ信号Ｓｍがハイレベルとなるように調整用抵抗２６の値を調整する。これにより、デジタル変換値‘２’に相当する電流が励磁コイル２１に流れたときにＡ／Ｄ変換回路１２から正しくデジタル変換値‘２’が出力されるように、ＩＣ２０における励磁電流（負荷電流）とデジタル変換値との関係を総合的に調整できる。
【００３０】
デジタル変換値が‘１６’となるポイント（図３（ａ）のＢ点）及びデジタル変換値が‘３０’となるポイント（図３（ａ）のＣ点）を中心とする場合にも同様に調整できる。これら３つの調整ポイントＡ点〜Ｃ点のうち、励磁電流の検出精度及びＡ／Ｄ変換精度が最も必要なポイント、あるいは励磁電流とデジタル変換値との関係の直線性を確保するために必要なポイントを中心として上記調整を行えばよい。
【００３１】
以上説明したように、本実施形態によれば次のような効果を奏する。
励磁コイル２１に流れる励磁電流を所定の値に制御する回路を１つのＩＣ２０内に形成し、電流検出回路２２とＡ／Ｄ変換回路１２とを縦続に接続した状態で調整用抵抗２６を用いて励磁電流とＡ／Ｄ変換回路１２から出力されるデジタル変換値との関係を総合的に調整可能とした。これにより、誤差について電流検出回路２２とＡ／Ｄ変換回路１２との最悪の組み合わせを考慮して各回路を過剰に高精度化する必要がなくなり、回路構成の複雑化、コストの上昇を抑えることができる。
【００３２】
また、電流検出回路２２とＡ／Ｄ変換回路１２とにおける基準電源及びグランドを共通化したことにより、基準電源やグランドに起因した回路特性のばらつきが小さくなるため、各回路を組み合わせた際の誤差を小さくできる。さらに、調整時に配線やグランドに混入するノイズの影響を受けることがなくなるため正確な調整が可能となる。
【００３３】
デジタル変換値が‘２’、‘１６’、‘３０’の何れかに一致したときにロウレベルからハイレベル（アクティブレベル）に変化するモニタ信号Ｓｍを生成するモニタ信号生成回路２９を設け、このモニタ信号ＳｍをＩＣ２０の外部からモニタ端子３４を介してモニタ可能とした。これにより、デジタル変換値（複数のデジタル信号）そのものを通信手段や変換手段などを介してモニタする必要がなく、モニタ信号Ｓｍのレベルのみをモニタしながら上記ＩＣ２０の総合的な調整を正確に且つ簡単に行うことができる。
【００３４】
（第２の実施形態）
図４及び図５は本発明の第２の実施形態を示すものであり、第１の実施形態と同一部分には同一符号を付して説明を省略し、以下異なる部分についてのみ説明する。
本実施形態におけるＩＣ２０は、図２に示したモニタ信号生成回路２９に替えてモニタ信号生成回路４０を有して構成されている。
【００３５】
モニタ信号生成回路４０は、４入力のＯＲゲート４１と、４入力のＮＡＮＤゲート４２と、２入力のＡＮＤゲート４３とから構成されている。ＯＲゲート４１及びＮＡＮＤゲート４２には、デジタル変換値の一部を示す信号Ｄ１〜Ｄ４が入力されている。ＯＲゲート４１及びＮＡＮＤゲート４２の各出力はＡＮＤゲート４３に入力されており、このＡＮＤゲート４３の出力がモニタ信号Ｓｍとなっている。なお、本実施形態では、モニタ信号生成回路４０及び図１に示すモニタ端子３４により変換値モニタ装置が構成される。
【００３６】
次に、本実施形態の作用について図５も参照しながら説明する。
図５は、第１の実施形態における図３相当図である。ＯＲゲート４１の出力は、信号Ｄ１〜Ｄ４が何れもロウレベルのときにのみロウレベルとなる。ＮＡＮＤゲート４２の出力は、信号Ｄ１〜Ｄ４が何れもハイレベルのときにのみロウレベルとなる。
【００３７】
モニタ信号Ｓｍのレベルは、デジタル変換値を示す信号Ｄ１〜Ｄ４に応じて変化するようになっている。すなわち、信号Ｄ０〜Ｄ４が示すデジタル変換値が‘２’（“０００１０”）より小さいとき、ＯＲゲート４１の出力がロウレベルとなるため、モニタ信号Ｓｍはロウレベルとなる。また、デジタル変換値が‘３０’（“１１１１０”）より大きいとき、ＮＡＮＤゲート４２の出力がロウレベルとなるため、モニタ信号Ｓｍはロウレベルとなる。デジタル変換値が上記した値以外のときには、ＯＲゲート４１及びＮＡＮＤゲート４２の出力は何れもハイレベルとなるため、モニタ信号Ｓｍはハイレベルとなる。
【００３８】
続いて、第１の実施形態と同様に、励磁電流とＡ／Ｄ変換回路１２から出力されるデジタル変換値との関係をウエハ状態にて調整する場合について説明する。例えばデジタル変換値が‘２’となるポイント（図５（ａ）のＤ点）を中心として上記関係を調整する場合、デジタル変換値が‘２’に相当する値の電流を電流源を介して流し、この状態でモニタ信号Ｓｍが反転するように調整用抵抗２６の値を調整する。
【００３９】
これにより、デジタル変換値 ‘２’に相当する電流が励磁コイル２１に流れたときにＡ／Ｄ変換回路１２から正しくデジタル変換値‘２’が出力されるように、ＩＣ２０における励磁電流（負荷電流）とデジタル変換値との関係を総合的に調整できる。デジタル変換値が‘３０’となるポイント（図５（ａ）のＥ点）を中心とする場合にも同様に調整できる。
【００４０】
以上説明したように、本実施形態によれば第１の実施形態と同様の効果を得ることができる。さらに、本実施形態のモニタ信号生成回路４０は、デジタル変換値が‘２’又は‘３０’の何れかに一致するとモニタ信号Ｓｍのレベルを反転させるようにした。これによいり、現在の調整ポイントがデジタル変換値‘２’より小さいのか、デジタル変換値‘２’とデジタル変換値‘３０’との間なのか、あるいはデジタル変換値‘３０’より大きいのかを確認し易くなり上記調整をより正確に且つ簡単に行うことができる。
【００４１】
（その他の実施形態）
なお、本発明は上記し且つ図面に記載した各実施形態に限定されるものではなく、次のような変形又は拡張が可能である。
モニタ端子３４は、ＩＣ２０のリードであってもよく、要するにモニタ信号Ｓｍを外部からモニタ可能にするためのものであればよい。
調整を行う際に電流源を介して流す電流値は、励磁電流の検出精度及びＡ／Ｄ変換精度が最も必要なポイントに応じて適宜変更すればよい。また、ウエハ状態におけるＩＣ２０で流すことができる範囲内で出来るだけ多くの電流を流すようにすれば、さらに精度のよい調整が可能となる。
【００４２】
モニタ信号生成回路２９、４０が生成するモニタ信号Ｓｍのレベルを変化させるポイントは、励磁電流の検出精度及びＡ／Ｄ変換精度が最も必要なポイントなどに応じて適宜変更可能である。また、モニタ信号生成回路２９が生成するモニタ信号Ｓｍのハイレベル区間は２箇所でもよいし、あるいは４箇所以上でもよい。さらに、モニタ信号生成回路４０が生成するモニタ信号Ｓｍのレベルを反転させるポイントは３点以上としてもよい。
調整回路は、レーザトリミング可能な抵抗に限られず、例えばアナログスイッチと抵抗とを組み合わせた選択回路などにより構成してもよい。
【図面の簡単な説明】
【００４３】
【図１】本発明の第１の実施形態を示す集積回路装置の構成図
【図２】モニタ信号生成回路の構成図
【図３】デジタル変換値とモニタ信号との関係を示す図
【図４】本発明の第２の実施形態を示す図２相当図
【図５】図３相当図
【図６】従来技術を示す図１相当図
【図７】電流検出回路及びＡ／Ｄ変換回路の特性を示す図
【符号の説明】
【００４４】
図面中、１２はＡ／Ｄ変換回路、２０はＩＣ（集積回路装置）、２２は電流検出回路（検出回路）、２６は調整用抵抗（調整回路）、２９はモニタ信号生成回路、３４はモニタ端子、３５は変換値モニタ装置、４０はモニタ信号生成回路を示す。
【図１】
2008060786.tif 000003
【図２】
2008060786.tif 000004
【図３】
2008060786.tif 000005
【図４】
2008060786.tif 000006
【図５】
2008060786.tif 000007
【図６】
2008060786.tif 000008
【図７】
2008060786.tif 000009